(57)【要約】      （修正有）【課題】乳母車と共に移動する幼児が握持するようなハンドルを提案する。【解決手段】ハンドル本体部に、乳母車１００と連結する装着具と、幼児１２０が握持するグリップ２１とを備えた。  また、乳母車１００の後方に連結した連結台車１１０に搭乗して前記乳母車１００と共に移動する前記幼児１２０の連結台車１１０からの転落を防止するガード３１を、ハンドル本体部２１に備えた。【選択図】図９
2006015035.tif 000002
【特許請求の範囲】
【請求項１】
ハンドル本体部に、乳母車と連結する連結部と、幼児が握持する握持部とを備えたハンドル。
【請求項２】
連結した前記乳母車に対して、枢軸を略水平方向として前記ハンドル本体部を枢動許容する枢動部を備えた
請求項１に記載のハンドル。
【請求項３】
連結した前記乳母車に対して、前記ハンドル本体部を任意の角度で固定する固定手段を備えた
２に記載のハンドル。
【請求項４】
前記連結部を着脱可能な着脱手段で形成した
請求項１、２または３に記載のハンドル。
【請求項５】
前記ハンドル本体部に、物品を吊り下げる吊下げフック備えた
請求項１から４のいずれか１つに記載のハンドル。
【請求項６】
前記吊り下げフックに、前記ハンドル本体部に対して枢動許容する枢動手段を備えた
請求項５に記載のハンドル。
【請求項７】
前記乳母車の後方に連結した連結台車上からの幼児の転落を防止する転落防止手段を、ハンドル本体部に備えた
請求項１から６のいずれか１つに記載のハンドル。
【発明の詳細な説明】
【技術分野】
【０００１】
この発明は、例えば、乳母車と共に移動する幼児が握持するようなハンドルに関する。
【背景技術】
【０００２】
従来、乳母車は乗車定員が１人のものが大半であり、２人の幼児と共に移動する場合、一方の幼児が乳母車に乗り、他方の幼児が保護者と共に歩いていた。
しかし、幼児の歩行速度は遅く、長距離の移動は困難であった。また、保護者は片手で歩行している幼児と手をつなぎ、他方の片手のみで乳母車を押進しなければならず危険であった。
【０００３】
このような状態において、乳母車の後方に連結し、保護者と共に歩いていた幼児を搭乗させ、非使用時には折り畳むことのできるチャイルドステップカーが提案されている（特許文献１参照）。
【０００４】
【特許文献１】特許第３１１１３８１号公報
【発明の開示】
【発明が解決しようとする課題】
【０００５】
前記チャイルドステップカーは、幼児が搭乗するためのステップと、該ステップの下側に取り付けられた車輪と、前記ステップを乳母車に連結する部材とから構成されている。
【０００６】
しかし、チャイルドステップカーが斜面を移動する場合、または段差を乗り越える場合には不安定になり、搭乗した幼児が転落する危険性があった。
【０００７】
この発明は、上述の問題を鑑み、乳母車と共に移動する幼児が安全に移動するために乳母車に取り付けるハンドルを提案するものである。
【課題を解決するための手段】
【０００８】
この発明は、ハンドル本体部に、乳母車と連結する連結部と、幼児が握持する握持部とを備えたことを特徴とする。
【０００９】
これにより、２人の幼児と共に移動する際に、乳母車に搭乗しない幼児が握持部を握持し、保護者は両手で乳母車を押進することができるため、安全に移動することができる。
【００１０】
また、幼児用の握持部は、保護者が乳母車を押進するための握持部と干渉せず、保護者の満足度を向上させることができる。さらに、乳母車と共に移動する幼児が握持部を握持しながら移動することによって、躓いて転倒することを防止できる。
【００１１】
また、幼児の突発的な飛び出しに対処することができる。  
詳述すると、一般的に、幼児は好奇心が旺盛であるが、周囲への注意力には乏しいため、興味のあるものを発見した際に、突発的に飛び出して事故に遭遇することや、事故にはならずとも「ヒヤリ」と感じることは多い。
【００１２】
しかし、幼児が握持部を握持しながら移動することによって、保護者にとって、手の届く範囲内に幼児がおり、幼児が握持部から手を離すという間がある。このため、幼児の突発的な飛び出しに対処することができる。
【００１３】
この発明の態様として、連結した前記乳母車に対して、枢軸を略水平方向として前記ハンドル本体部を枢動許容する枢動部を備えることができる。
【００１４】
これにより、様々な身長の幼児が、それぞれの適切な位置でハンドルを握持することができる。また、一般的に流通している乳母車の押進ハンドル支持フレームの角度は、一定でなく、様々な角度のものがあるが、前記ハンドルに枢動部を備えたことにより、いかなる角度の押進ハンドル支持フレームを有する乳母車にも取り付けることができる。
【００１５】
またこの発明の態様として、連結した前記乳母車に対して、前記ハンドル本体部を任意の角度で固定する固定手段を備えることができる。  
これにより、握持する幼児に適する角度で前記ハンドルを固定することができ、移動の際に生じる衝撃に対しても安定して握持することができる。
【００１６】
またこの発明の態様として、前記連結部を着脱可能な着脱手段で形成することができる。  
これにより、既所有の乳母車に取り付けることが可能となり、また、前記ハンドルを不要な場合に取り外すこともできる。
【００１７】
またこの発明の態様として、前記ハンドル本体部に、物品を吊り下げる吊下げフックを備えることができる。  
これにより、保護者は、物品を持つことなく、両手で乳母車を押進できる。
【００１８】
詳述すると、一般に幼児と共に移動する場合においては、幼児の着替え、または幼児の飲み物等を携帯しなければならないものが多く、また幼児と共に日常の買い物に行くことが多い。
【００１９】
これに対して、前記吊り下げフックを前記ハンドル本体部に備えたことにより、着替えや買い物したものを収納する袋等の物品を吊り下げることができ、保護者は、物品を持ちながら乳母車を押進しなくてよい。よって、保護者は、両手で確実に乳母車を押進できるため安全である。
【００２０】
また、従来は物品を押進ハンドルに係止したＳ字フックに物品を吊り下げていたが、この場合において、乳母車の移動の振動によりＳ字フックが押進ハンドルを横方向に移動し、その移動によって物品が墜落したり、あるいは引きずることがあったが、前記ハンドル本体部にフックを備えたことで解消できる。
【００２１】
またこの発明の態様として、前記吊り下げフックに、前記ハンドル本体部に対して枢動許容する枢動手段を備えることができる。  
これにより、前記ハンドル角度や、乳母車の移動中の振動に対しても、物品を常に鉛直下向きに吊り下げることができ、安定して運搬することができる。
【００２２】
またこの発明の態様として、前記乳母車の後方に連結した連結台車上からの幼児の転落を防止する転落防止手段を、ハンドル本体部に備えることができる。  
これにより、乳母車の後方に連結して乳母車と共に移動する移動台車に搭乗した幼児が、乳母車の移動中に大きな段差を乗り越えた場合、または予想し得ない衝撃が生じた場合等に、幼児が握持部から手を離してしまって連結台車から転落することを防止できる。
【発明の効果】
【００２３】
この発明により、乳母車と共に移動する幼児が安全に移動できる。
【発明を実施するための最良の形態】
【００２４】
この発明の一実施形態を以下図面と共に説明する。
【実施例１】
【００２５】
最初に、本実施例の全体的概要について説明する。  
図１は、乳母車１００の後方に連結された連結台車１１０に正立して搭乗した幼児１２０が握持する乳母車取付けハンドル１を装着した状態の右側面図を示し、図２は、乳母車１００に装着した状態の乳母車取付けハンドル１の右側上方より見た斜視図を示す。  
なお、図中の矢印ａは、乳母車取付けハンドル１の枢動方向を示す。
【００２６】
乳母車取付けハンドル１は着脱手段として、乳母車１００の押進ハンドル支持フレーム１０１に装着する装着具１２と、装着具１２に対して、略水平方向を枢軸として枢動可能かつ所望の角度で固定できる接続治具１３と、ハンドル本体部１０と、グリップ１１で構成している。
【００２７】
なお、ハンドル１０は、強度を有する円形パイプをＬ字型に曲げて形成し、その一端に合成樹脂からなるグリップ１１を挿着しており、グリップ１１は一端を封鎖した筒状に形成する。
【００２８】
使用の際には、連結台車１１０に搭乗した幼児１２０が、両腕を胸部前方に軽くのばし、無理のない姿勢でグリップ１１を握持できる角度に乳母車取付けハンドル１を固定する。
【００２９】
また、固定されたハンドル本体部１０に取り付けた吊下げフック１４のフック１４２に買い物袋のような物品１５を吊り下げる。
【００３０】
以上の構成により、保護者は、幼児１２０の後方より押進ハンドル１５０を握持して乳母車１００を押進できる。このとき、幼児１２０は、保護者が押進ハンドル１５０を握持する両腕の間に正立しており、幼児１２０は、安心して移動することができる。
【００３１】
続いて、ハンドル部分について説明する。  
図３は、押進ハンドル支持フレーム１０１に装着した状態の乳母車取付けハンドル１の右側拡大側面図を示す。  
図４（ａ）は、乳母車取付けハンドル１の装着状態のＢ−Ｂ平面図を示し、図４（ｂ）は、乳母車取付けハンドル１の着脱可能状態のＢ−Ｂ平面図を示す。  
図５は、装着具１２のＡ−Ａ断面図を示す。
【００３２】
装着具１２の装着治具１２１ａと装着治具１２１ｂはヒンジ１２２を枢軸として接続してあり、装着治具１２１ａに備えた固定ネジ１２３の固定ネジ部１２３１を装着治具１２１ｂに備えた固定ナット１２３２に螺合して装着治具１２１ａと装着治具１２１ｂを押進ハンドル支持フレーム１０１に固定する。
【００３３】
固定ネジ部１２３１を固定ナット１２３２にさらに螺入することによって、装着治具１２１ｂは装着治具１２１ａに引き寄せられ、伴って装着治具１２１ａおよび装着治具１２１ｂの内側に設けた押圧部１２３３が押進ハンドル支持フレーム１０１の外周を押圧する。これにより、押圧部１２３３と押進ハンドル支持フレーム１０１の外周との摩擦が増大され、装着具１２は、押進ハンドル支持フレーム１０１に対して固定される。
【００３４】
なお、着脱する際には、固定ネジ１２３の固定ネジ部１２３１と固定ナット１２３２の螺合を解き、装着治具１２１ｂを、ヒンジ１２２を枢軸として枢動させて装着治具１２１ａと装着治具１２１ｂを押進ハンドル支持フレーム１０１から開放する。
【００３５】
接続治具１３は、ハンドル本体部１０と装着具１２とを固定かつ枢動可能に連結する。なお、接続治具１３は、接続治具１３ａと、係止部１３５および接続雌ネジ部１３１を備えた接続治具１３ｂとから構成し、ハンドル本体部１０は接続治具１３ａに固定している。
【００３６】
接続治具１３ａの装着具１２側端面には、装着治具１２１ｂの接続治具１３ｂ側端面に形成した菊状凸部１２１２（図１１）と掛合する菊状凹部１３３（図１１）を形成している。  
接続治具１３ａの係止溝１３４に接続治具１３ｂの係止部１３５が係合して、接続治具１３ａと接続治具１３ｂとを回動自在に接続している。
【００３７】
接続治具１３ｂを回動して接続雌ネジ部１３１を接続雄ネジ部１２１１に螺合することで、接続治具１３ａは接続治具１３ｂによって装着具１２側に引き寄せられ、接続治具１３ａの菊状凹部１３３と、装着具１２の菊状凸部１２１２とが掛合する。これにより、装着具１２に対してハンドル本体部１０の角度、位置が固定される。
【００３８】
逆に接続治具１３ｂの螺合を緩めると、接続治具１３ａと装着具１２の間に介在するバネ１３６の反力により接続治具１３ａは、ハンドル本体部１０側に押し戻されて菊状凹部１３３と菊状凸部１２１２との掛合が解消され、装着具１２に対してハンドル本体部１０の枢動が可能になる。
【００３９】
なお、押圧部１２３３の内周面に対して押進ハンドル支持フレーム１０１の外周が小さい場合は、押圧部１２３３と押進ハンドル支持フレーム１０１の間にゴムシートのような摩擦力を有する厚みのある補助部材を介在させることで装着具１２を装着可能にしている。本実施形態においては外径２５ｍｍ程度の押進ハンドル支持フレーム１０１に適する装着具１２としている。
【００４０】
また、押進ハンドル支持フレーム１０１とハンドル本体部１０との連結方法において、装身具１２を用いず、押進ハンドル支持フレーム１０１とハンドル本体部１０とを溶接固定したり、押進ハンドル支持フレーム１０１とハンドル本体部１０とを一体で形成してもよい。
【００４１】
続いてフックについて説明する。  
図６（ａ）は、吊下げフック１４のＣ−Ｃ断面図（図４（ａ））を示し、図６（ｂ）はＤ―Ｄ断面図（図４（ｂ））を示す。  
吊下げフック１４は、フック１４２と、平面視Ｕ型の取付けカバー１４４および押さえ治具１４５からなる取付け部１４１と、取付けカバー１４４とフック１４２とを枢動可能に連結する回転軸１４３で構成している。
【００４２】
取付けカバー１４４と押さえ治具１４５は、該取付けカバー１４４と押さえ治具１４５を貫通する固定ボルト１４１１と固定ナット１４１２で一体化している。
【００４３】
吊下げフック１４をハンドル本体部１０から取り外す際には、固定ボルト１４１１と固定ナット１４１２を外し、取付けカバー１４４から押さえ治具１４５を取り出して、ハンドル本体部１０から取付けカバー１４４を取り外す。
【００４４】
逆に、吊下げフック１４をハンドル本体部１０に取付ける際には、ハンドル本体部１０に取付けカバー１４４を取付け、押さえ治具１４５を取付けカバー１４４に挿入し、固定ボルト１４１１と固定ナット１４１２を螺入して、取付けカバー１４４と押さえ治具１４５とを一体化する。
【００４５】
次に、図６（ｂ）に示すように、押さえ治具１４５のハンドル本体部１０と反対の側面より押さえ治具１４５を貫通して押さえボルト１４５１を螺挿する。このとき、押さえボルト１４５１の先端１４５１ａがハンドル本体部１０の外周を押圧することによって吊下げフック１４は、ハンドル本体部１０に固定される。
【００４６】
以上の構成により、乳母車１００の後方に連結された連結台車１１０に正立して搭乗し、乳母車取付けハンドル１を握持する幼児１２０は、乳母車１００を押進する保護者の両腕の間に正立しており、精神的にも安心して移動することができる。  
また、乳母車取付けハンドル１を、幼児１２０の身長にあわせた適切な角度に固定することができる。
【００４７】
さらに、ハンドル本体部１０を固定しているため、吊り下げフック１４２に物品１５を吊り下げた際にも、物品１５の荷重に逆らってハンドル本体部１０を持ち上げる必要がなく、物品１５をフック１４２に吊下げない状態と同様にグリップ１１を楽に握持することができる。
【００４８】
さらに、ハンドル本体部１０に対してフック１４２は、枢動可能であるため、フック１４２は、重力に対して物品１５は鉛直下向きに吊り上げられ、安定した状態で物品１５を運搬することができる。
【００４９】
なお、図７で示すように、乳母車取付けハンドル１を上述の実施形態と左右逆の押進ハンドル支持フレーム１０１に取り付けてもよい。この場合、ハンドル本体部１０が乳母車１００の内側に位置し、グリップ１１が乳母車１００の側方外側に位置することになり、乳母車１００の側方を乳母車１００と共に歩いて移動する幼児１２０が、一方のグリップ１１を片手で握持しながら歩行することが可能である。
【００５０】
これにより、幼児が握持部を握持しながら歩行することができ、幼児が何かに対して気を取られて突発的な飛び出した場合においても、保護者にとって、手の届く範囲内に幼児がおり、幼児が握持部から手を離すというの間があるため対処することができる。
【００５１】
なお、このようにグリップ１１を外側に設定した取付け方法で左右両側の押進ハンドル支持フレーム１０１にそれぞれ乳母車取付けハンドル１を取り付けることで、乳母車に搭乗する幼児を含めて３人の幼児と共に、安全に移動することができる。
【００５２】
なお、乳母車取付けハンドル１において、ハンドル本体部１０とグリップ１１とを別体で形成し、グリップ１１の軸線を枢軸として枢動可能に連結してもよい。乳母車取付けハンドル１を固定しない場合に、グリップ１１が枢動することによって、グリップ１１を握持する幼児１２０の満足度が向上する。
【００５３】
また、図８（ａ）に示すように、乳母車取付けハンドル１において、ハンドル本体部１０とグリップ１１とを別体で形成し、略水平方向に対して直角かつハンドル本体部１０の軸線に対して直角な軸を枢軸として枢動可能かつ固定可能なグリップ連結部１１１を備えてもよい。
【００５４】
さらにまた、図８（ｂ）に示すように、乳母車取付けハンドル１において、ハンドル本体部１０とグリップ１１とを別体で形成し、ハンドル本体１０の軸線を枢軸として枢動可能に連結できるグリップ連結部１１２を備えてもよい。
【００５５】
なお、図中の矢印ｂ、ｃはグリップ１１の回転方向を示す。
【００５６】
これらにより、乳母車１００から一旦、左右両方の乳母車取付けハンドル１を着脱して、左右を入れ替えて再度、乳母車１００に乳母車取付けハンドル１取り付けることなく、図２で示す連結台車１１０に搭乗した幼児１２０が握持する形態と、図７で示す乳母車１００の側方を共に歩行する幼児１２０が握持する形態とを適宜選択することができる。
【実施例２】
【００５７】
次に、転落防止手段であるガードを備えた乳母車取付けハンドルについて説明ずる。  
図９は、乳母車１００の後方に連結された連結台車１１０に正立して搭乗した幼児１２０が握持するガード付き乳母車取付けハンドル３を装着した状態の説明図を示し、図１０は、乳母車１００に装着した状態のガード付き乳母車取付けハンドル３の右側上方より見た斜視図を示す。
【００５８】
なお、図中の矢印ｄは、ガード付き乳母車取付けハンドル３の枢動方向を示す。
【００５９】
ガード付き乳母車取付けハンドル３は、実施例１の乳母車取付けハンドル１と同様の着脱手段として、乳母車１００の押進ハンドル支持フレーム１０１に装着する装着具１６と、装着具１６に対して、略水平方向を枢軸として枢動可能かつ所望の角度で固定できる接続治具１７と、ハンドル本体部２０と、グリップ２１と、ガード３１で構成している。なお、前記ガード３１は、前記ハンドル本体部２０と一体で形成してもよく、それぞれ別体で形成してもよい。
【００６０】
本実施形態においては、前記ガード３１と前記ハンドル本体部２０とは、強度のある円形断面材で一体に形成しており、平面視Ｕ型であり、両足部分の腹部分に、合成樹脂からなるグリップ２１を挿着している。また、側面視は、逆への字形状である。
【００６１】
以上の構成により、幼児１２０が連結台車１１０に搭乗する際、ガード付き乳母車取付けハンドル３を枢動させて上方に持ち上げ、幼児１２０が連結台車１１０に搭乗後、幼児１２０がグリップ１１を無理なく握持でき、かつガード３１が幼児１２０の臀部以上の高さになる角度でガード付き乳母車取付けハンドル３を固定する。
【００６２】
図１１は、押進ハンドル支持フレーム１０１に装着された装着具１６に接続治具１７を取りつける際の接続治具１７の分解説明図を示し、図中右上に装着具１６の端面に形成した菊状凸部１６１２部分と、装着治具１６１ｂの接続治具１７ｂ側端面に形成した菊状凹部１７３の拡大斜視図を示し、図１２は、装着具１６のＥ−Ｅ断面図（図１０）を示す。
【００６３】
固定ネジ部１６３１を、装着治具１６１ａと装着治具１６１ｂを貫通してさらに固定ナット１６３２に螺入することによって、装着治具１６１ｂは装着治具１６１ａに引き寄せられ、それに伴って装着治具１６１ａおよび装着治具１６１ｂの内側に設けた押圧部１６３３が押進ハンドル支持フレーム１０１の外周を押圧する。これにより、押圧部１６３３と押進ハンドル支持フレーム１０１の外周との摩擦が増大され、装着具１６は、押進ハンドル支持フレーム１０１に対して前記ハンドル本体部２０の位置、角度が固定される。
【００６４】
なお、押圧部１６３３の内周面に対して押進ハンドル支持フレーム１０１の外周が小さい場合は、押圧部１６３３と押進ハンドル支持フレーム１０１の間にゴムシートのような摩擦力を有する厚みのある補助部材を介在させることで装着具１６が装着可能になる。本実施形態においては外径２５ｍｍ程度の押進ハンドル支持フレーム１０１に適する装着具１６としている。
【００６５】
接続治具１７は、ハンドル本体部２０と装着具１６を固定かつ枢動可能に接続する。なお、接続治具１７は、接続ネジ部１７２を備えた接続治具１７ａと接続治具１７ｂとから構成し、ハンドル本体部２０は接続治具１７ｂに固定している。
【００６６】
接続治具１７ｂの装着具１６側端面に、装着治具１６１ｂの接続治具１７ｂ側端面に形成した菊状凸部１６１２と掛合する菊状凹部１７３を形成している。  
接続治具１７ａの接続ネジ部１７２を、接続治具１７ｂの中心を貫通し、装着治具１６１ｂに備えた接続雌ネジ部１６１３に螺入することで接続治具１７ａは、装着治具１６１ａに引き寄せられ、接続治具１７ｂを押圧する。これにより、接続治具１７ｂの菊状凹部１７３と、装着具１６の菊状凸部１６１２とが掛合し、装着具１６に対してハンドル本体部２０が固定される。
【００６７】
逆に接続治具１７ａの螺合を緩めると、１７ｂと装着具１６の間に介在するバネ１７６の反力により接続治具１７ｂは、接続治具１７ａ側に押し戻され、菊状凹部１７３と菊状凸部１６１２との掛合が解消され、装着具１６に対してハンドル本体部２０の枢動可能になる。
【００６８】
以上の構成により、乳母車１００の後方に連結して乳母車１００と共に移動する移動台車１１０に搭乗した幼児１２０が、乳母車１００の移動中に大きな段差を乗り越えた場合、または予想し得ない衝撃が生じた場合等において、幼児１２０がグリップ２１から手を離して転落することを防止できる。
【００６９】
また、乳母車取付けハンドル１とガード付き乳母車取付けハンドル３において接続治具１３、１７による固定手段の代わりにハンドル本体部１０、２０の枢動範囲を制限し、ハンドル本体部１０、２０を下方より支持するストッパーを装着具１２、１６の直下の押進ハンドル支持フレーム１０１に設けてもよい。
【００７０】
この発明の構成と、上述の実施形態との対応において、
この発明のハンドルは、乳母車取付けハンドル１およびガード付き乳母車取付けハンドル３に対応し、
以下同様に
連結部は、装着具１２、１６に対応し、
着脱手段は、ヒンジ１２２、１６２に対応し、
握持部は、グリップ１１、２１に対応し、
枢動部は、接続治具１３、１７に対応し、
枢動手段は、回転軸１４３に対応し、
固定手段は、菊状凸部１２１２、１６１２および菊状凹部１３３、１７３に対応し、
転落防止手段は、ガード３１に対応するも、
この発明は、上述の実施形態の構成のみに限定されるものではなく、多くの実施の形態を得ることができる。
【図面の簡単な説明】
【００７１】
【図１】乳母車取付けハンドルを装着した乳母車の右側面図。
【図２】乳母車に装着した状態の乳母車取付けハンドルの右側上方より見た斜視図。
【図３】押進ハンドル支持フレームに装着した状態の乳母車取付けハンドルの右側拡大側面図。
【図４】乳母車取付けハンドルの平面を示す説明図。
【図５】装着具の平面断面図。
【図６】吊下げフックの平面を示す説明図。
【図７】乳母車取付けハンドルの他の取り付け状態を右側上方より見た斜視図。
【図８】乳母車取付けハンドルの他の取り付け状態を右側上方より見た斜視図。
【図９】ガード付き乳母車取付けハンドルを装着した乳母車の右側面図。
【図１０】乳母車に装着した状態のガード付き乳母車取付けハンドルの右側上方より見た斜視図。
【図１１】装着具の平面断面図。
【図１２】接続治具の分解斜視図を示す説明図。
【符号の説明】
【００７２】
１…乳母車取付けハンドル
３…ガード付き乳母車取付けハンドル
１０、２０…ハンドル本体部
１１、２１…グリップ
１２、１６…装着具
１３、１７…接続治具
１４…吊下げフック
１５…物品
３１…ガード
１００…乳母車
１２０…幼児
１２２、１６２…ヒンジ
１３３、１７３…菊状凹部
１４３…回転軸
１２１２、１６１２…菊状凸部
【図１】
2006015035.tif 000003
【図２】
2006015035.tif 000004
【図３】
2006015035.tif 000005
【図４】
2006015035.tif 000006
【図５】
2006015035.tif 000007
【図６】
2006015035.tif 000008
【図７】
2006015035.tif 000009
【図８】
2006015035.tif 000010
【図９】
2006015035.tif 000011
【図１０】
2006015035.tif 000012
【図１１】
2006015035.tif 000013
【図１２】
2006015035.tif 000014